(57)【要約】  本発明は、殊にスポーツ活動時に用いられる、筒部と、足部と、バンデージとを備えたソックスであって、前記足部が、つま先領域と、踵領域と、つま先領域と踵領域との間に位置する踏み領域とを有している形式のものに関する。バンデージ（３）は、距腿関節の領域に配置されていて、少なくとも１つのストラップ（３１）と、少なくとも１つのリング（３２）とから成っている。
2009524744.tif 000002
【特許請求の範囲】
【請求項１】
殊にスポーツ活動時に用いられる、筒部と、足部と、バンデージとを備えたソックスであって、前記足部が、つま先領域と、踵領域と、つま先領域と踵領域との間に位置する踏み領域とを有している形式のものにおいて、前記バンデージ（３）が、距腿関節の領域に配置されていて、少なくとも１つのストラップ（３１）と、少なくとも１つのリング（３２）とから成っていることを特徴とするソックス。
【請求項２】
リング（３２）が、実質的に筒部（２）の周面に延びている、請求項１記載のソックス。
【請求項３】
リング（３２）が、筒部（２）にアシンメトリックに延びている、請求項１または２記載のソックス。
【請求項４】
リング（３２）が、踏み領域（１３）を通って延びている、請求項１から３までのいずれか１項記載のソックス。
【請求項５】
ストラップ（３１）が、甲領域（１４）を通って延びている、請求項１から４までのいずれか１項記載のソックス。
【請求項６】
ストラップ（３１）が、踵領域（１２）の上側で延びている、請求項１から５までのいずれか１項記載のソックス。
【請求項７】
殊にスポーツ活動時に用いられる、筒部と、足部と、バンデージとを備えたソックスであって、前記足部が、つま先領域と、踵領域と、つま先領域と踵領域との間に位置する踏み領域とを有している形式のものにおいて、バンデージ（３）が、２つのリング（３３，３４）から成っていて、該リング（３３，３４）が、踏み領域（１３）を通って延びていることを特徴とするソックス。
【請求項８】
前記リング（３３）が、踵を取り囲んでいる、請求項７記載のソックス。
【請求項９】
前記リング（３４）が、甲領域（１４）を通って延びている、請求項７または８記載のソックス。
【請求項１０】
リング（３３，３４）が、踏み領域（１３）で、互いに重なり合って配置されている、請求項７から９までのいずれか１項記載のソックス。
【発明の詳細な説明】
【技術分野】
【０００１】
本発明は殊にスポーツ活動時に用いられる、筒部と、足部と、バンデージとを備えたソックスであって、前記足部が、つま先領域と、踵領域と、つま先領域と踵領域との間に位置する踏み領域とを有している形式のものに関する。
【０００２】
特にスポーツ活動時には、人間の足は通常、ソックスに覆われている。ソックスの足への良好なフィット形状を得るために、Ｏ−リング型のバンデージをソックスもしくはストッキングに設けることが公知である（米国特許公開第号５６１７７４５明細書）。これらは、ソックスの長手方向中心軸線に対して平行にシンメトリックに延在して形成されている。
【０００３】
走行運動および跳躍運動時には、足、特に距腿関節（Sprunggelenke）の領域で高められた負荷が生ぜしめられる。足は、衝撃を緩衝するために内側に屈曲するという自然な機能を有している。この機能は回内（プロネーション）と呼ばれている。足裏の外側で着地した後に、負荷がある程度内側にずれ、それによって足の長手方向アーチが落ち込み、衝撃の一部が吸収される。しかしながら人間の足は種々異なって形成されている。通常の足、凹足または内転足、扁平足に区別される。通常の足はバランスのとれた土踏まずを有している。通常の足は、歩行時や走行時に、まず足後方の外側で地面に接触する。次いで、足の衝撃を吸収し、緩衝するために、足が内側に回転する。これが自然な回内と呼ばれている。凹足または内転足は、接地段階で十分に内側に屈曲せず、足の前後の領域で十分に足跡が残る。これは過小回内（アンダープロネーション）もしくは回外（サピネーション）と呼ばれている。足の自然な衝撃保護は過小回内において著しく減じられる。これに対して扁平足は、極めて僅かな土踏まずしか有しておらず、全体的な足跡が残る。扁平足は、着地段階の後に極めて強く内側に屈曲される。これは過回内（オーバープロネーション）と呼ばれる。特に、足の関節領域にある運動器官は、通常はＯ脚やＸ脚と呼ばれる脚の異常配置によって負荷され得る。
【０００４】
過回内の人もしくは過小回内の人、または脚の異常配置を有する人は、自然な緩衝が少ないことで苦しんでいる。これによって足は特に負荷されている。距腿関節を囲む運動器官の腱や帯状組織を支持するために、足をバンデージで巻くことが公知である。この場合、バンデージは、ソックスが足を覆う前に、脛骨の下側の領域で踝の周りに水平に巻かれる。このように巻くことは、一方では距腿関節を囲む運動器官に不十分な安定性と支持しか与えず、他方では過回内や過小回内における特殊な負荷形状を考慮に入れていない。さらにバンデージは、ソックスの下に着用されることが多く、それによって快適な装着感が減じられている。
【０００５】
ここで本発明が改善策を提供する。本発明の課題はしたがって、距腿関節の領域にある運動器官を支持し、過回内もしくは過小回内、および脚の異常配置における特殊な負荷のために特別に設計されているソックスを提供することである。この課題を解決するために本発明の構成では、バンデージが距腿関節の領域に配置されていて、少なくとも１つのストラップとリングから成っているようにした。
【０００６】
本発明によって、特にスポーツ活動のためのソックスが提供されている。このソックスは、距腿関節の領域にある運動器官を支持し、過回内もしくは過小回内、または脚の異常配置における特殊な負荷のために特別に設計されている。この理由から、それぞれの負荷条件に合わせた支持機能を得られるように、バンデージが距腿関節の領域で延びている。
【０００７】
本発明の別の実施形態では、リングが筒部でアシンメトリックに延びている。これによって、特に踝の支持と、ひいては支持作用の改善が生ぜしめられている。
【０００８】
本発明のさらに別の実施形態では、リングが踏み領域を通って延びている。これによって、足の踝の下側の固定が提供されている。これが、距腿関節の付加的な支持を生ぜしめる。
【０００９】
ストラップが足の甲を超えて延びていると有利である。この構成によって、リングと結合して特殊な固定が得られる。さらにスポーツ活動時に良好な支持が生ぜしめられている。
【００１０】
さらに本発明の課題は、バンデージが２つのリングから成っていて、この２つのリングが踏み領域を通って延びていることによって解決される。これによって、特にスポーツ活動のためのソックスが提供されている。この場合、このソックスは同じく、距腿関節の領域にある運動器官を支持し、過回内もしくは過小回内、または脚の異常配置における特殊な負荷のために特別に設計されている。互いに組み合わされた２つのリングを使用することによって、さらに強化されたバンデージの巻着が可能となる。
【００１１】
リングが、踏み領域で互いに重なりあって配置されていると有利である。これによって踏み領域で２層のバンデージの巻着が可能となり、これは、さらに改善された支持機能を可能にする。
【００１２】
本発明の別の改良形および構成は、他の従属請求項に示してある。本発明の実施例を図面に示し、以下に詳しく説明する。図１ａ）〜ｃ）は、バンデージを有するソックスの足外側を示す図と、当該ソックス対を後ろから見た図であり、図２ａ〜ｃ）は、別の実施例における、バンデージを有するソックスの足外側を示す図と、当該ソックス対を後ろから見た図であり、図３ａ）〜ｃ）は、別の実施例における、バンデージを有するソックスの足外側を示す図と、当該ソックス対を後ろから見た図であり、図４ａ）〜ｃ）は、別の実施例における、バンデージを有するソックスの足外側を示す図と、当該ソックス対を後ろから見た図であり、図５ａ）〜ｂ）は、別の実施例における、バンデージを有するソックスの足外側を示す図と、当該ソックスを後ろから見た図であり、図６ａ）〜ｂ）は、別の実施例における、バンデージを有するソックスの足外側を示す図と、当該ソックスを後ろから見た図であり、図７ａ）〜ｂ）は、別の実施例における、バンデージを有するソックスの足外側を示す図と、当該ソックスを後ろから見た図である。
【００１３】
実施例として選択されたソックスは、足部１と筒部２とから成っている。足部１は、つま先領域１１と、踵領域１２と、つま先領域と踵領域との間に位置する踏み領域１３と、甲領域１４とを有している。つま先領域１１と、踵領域１２と、踏み領域１３とは実施例で示すように、強化された材料によって製作されていてよい。たとえば弾性繊維材料とバージンウール（Schnurwolle）のような材料の組合せを使用することも可能である。
【００１４】
筒部２の、足部分１とは反対側の端部に折返し部２１が備えられている。ソックスの距腿関節領域にはバンデージ３が備えられている。バンデージ３は弾性かつ空調性の織布から形成されている。エラスタン、ライクラ（Lycra）、もしくは種々異なる弾性率を有する他の材料が使用されていると有利である。
【００１５】
バンデージ３は連続的に環状に延びており、ソックスを形成している織布に織り合わされている。バンデージ３は、図１〜図６の実施例では、ウェブもしくはストラップ３１とリング３２とから構成されている。ストラップ３１は、踝「Ｋ」から、外側の踝「Ｋ」まで延びていて、それによって足を取り巻いている。
【００１６】
踝の領域で、ストラップ３１の端部にリング３２が接続している。リング３２は、図１〜図６に図示の実施例では、ソックスの筒部２を取り囲んでおり、実質的に筒部の周面に延びている。ストラップ３１とリング３２とは、図１〜図６に図示の実施例では、同じ幅と同じ材料強度を有している。
【００１７】
リング３２はアシンメトリックに配置されている。これによって踵の領域で、上内側から下外側、もしくは上外側から下内側に向かった、リング３２の傾斜した配置が得られる。リング３２は、選択的に、足の外側もしくは足の内側で踝「Ｋ」の上側で延びていてよい（図１および図２）。これらの実施例の変化形では、２つのアシンメトリックに延在するリング３２の組合せを用いることも可能である（図３および図４）。この場合、足の外側でも内側でも、リング３２が、踝「Ｋ」の上側および下側で延びている。踝の上側と下側とに延びるリングの間にはギャップが生ぜしめられていて、このギャップがコントロール領域を形成している。これによって踝はリングにより取り囲まれている。これによって支持機能はさらに改善されている。
【００１８】
図５および図６に図示の実施例では、リング３２が、踏み領域１３を通って延びている。図５の実施例では、リングが踏み領域１３からアキレス腱の領域を超えて延びている。リングは上記の形式で踵を取り囲んでいる。ストラップ３１は、甲領域１４と筒部２との間の移行部に延びている。ストラップ３１の自由な端部は、リング３２に接触して配置されている。図６に図示の実施例では、図５に図示の実施例と比べて、ストラップ３１およびリング３２の逆の配置が規定されている。この場合、ストラップ３１が踵領域１２の上側のアキレス腱の領域に延びており、リング３２が、踏み領域１３から、甲領域１４と筒部２との移行部まで延びることによってソックスを取り囲んでいる。図５および図６に図示の実施例の構成によって、支持機能の別の変化形が可能である。
【００１９】
図７に図示の実施例においても、ソックスは同じく、足部分１と筒部２から成っている。足部分１は、つま先領域１１と、踵領域１２と、つま先領域１１と踵領域１２との間に位置する踏み領域１３と、甲領域１４とを有している。つま先領域１１と、踵領域１２と、踏み領域１３とは、実施例で示すように、強化された材料によって製作されていてよい。同じように、材料の組合せの使用も可能である。筒部２の、足部分１とは反対側の端部に折返し部２１が備えられている。
【００２０】
ソックスの距腿関節領域にはサポータ、もしくはバンデージ３が備えられている。バンデージ３は、２つのリング３３，３４から成っている。これらのリング３３，３４は、踏み領域１３を通って延びている。リング３３は、踏み領域１３からアキレス腱の領域に延びていて、それによって、踵を取り囲んでいる。リング３４は、踏み領域１３から、甲領域１４と筒部２との移行部の領域に延びている。リング３４は、したがって、実質的に前足部を超えて延びている。リング３３，３４は、踏み領域１３で互いに重なり合って配置されている。これによって、リングが互いに重なりあって位置している領域で材料の重複が生ぜしめられるか、またはリング３３，３４が踏み領域１３で互いに織り合わされており、これによって均一な、しかもより頑丈な構造が提供されている。これによって支持機能が一層高められている。
【００２１】
実施例の説明および請求項でソックスについて述べた限りでは、本発明はこれらに限定されるものではない。むしろストッキング、タイツ、さらに同等のものもソックスの概念に含まれ、本発明は同じくこれらにも関連する。
【図面の簡単な説明】
【００２２】
【図１】バンデージを有するソックスの足外側を示す図と、当該ソックス対を後ろから見た図である。
【図２】別の実施例における、バンデージを有するソックスの足外側を示す図と、当該ソックス対を後ろから見た図である。
【図３】別の実施例における、バンデージを有するソックスの足外側を示す図と、当該ソックス対を後ろから見た図である。
【図４】別の実施例における、バンデージを有するソックスの足外側を示す図と、当該ソックス対を後ろから見た図である。
【図５】別の実施例における、バンデージを有するソックスの足外側を示す図と、当該ソックスを後ろから見た図である。
【図６】別の実施例における、バンデージを有するソックスの足外側を示す図と、当該ソックスを後ろから見た図である。
【図７】別の実施例における、バンデージを有するソックスの足外側を示す図と、当該ソックスを後ろから見た図である。
【図１】
2009524744.tif 000003
【図２】
2009524744.tif 000004
【図３】
2009524744.tif 000005
【図４】
2009524744.tif 000006
【図５】
2009524744.tif 000007
【図６】
2009524744.tif 000008
【図７】
2009524744.tif 000009
【手続補正書】
【提出日】平成20年2月23日(2008.2.23)
【手続補正１】
【補正対象書類名】特許請求の範囲
【補正対象項目名】全文
【補正方法】変更
【補正の内容】
【特許請求の範囲】
【請求項１】
殊にスポーツ活動時に用いられる、筒部と、足部と、バンデージとを備えたソックスであって、前記足部が、つま先領域と、踵領域と、つま先領域と踵領域との間に位置する踏み領域とを有している形式のものにおいて、前記バンデージ（３）が、距腿関節の領域に配置されていて、少なくとも１つのストラップ（３１）と、少なくとも１つのリング（３２）とから成っており、該リング（３２）が、筒部（２）にアシンメトリックに延びている特徴とするソックス。
【請求項２】
リング（３２）が踏み領域（１３）を通って延びている、請求項１記載のソックス。
【請求項３】
ストラップ（３１）が甲領域（１４）を通って延びている、請求項１または２記載のソックス。
【請求項４】
ストラップ（３１）が踵領域（１２）の上側で延びている、請求項１から３までのいずれか１項記載のソックス。
【請求項５】
殊にスポーツ活動時に用いられる、筒部と、足部と、バンデージとを備えたソックスであって、前記足部が、つま先領域と、踵領域と、つま先領域と踵領域との間に位置する踏み領域とを有している形式のものにおいて、バンデージ（３）が、２つのリング（３３，３４）から成っていて、該リング（３３，３４）が、踏み領域（１３）を通って延びており、該リング（３３，３４）が、踏み領域（１３）で、互いに重なり合って配置されていることを特徴とするソックス。
【請求項６】
前記リング（３３）が踵を取り囲んでいる、請求項５記載のソックス。
【請求項７】
前記リング（３４）が甲領域（１４）を通って延びている、請求項５または６記載のソックス。
【国際調査報告】
2009524744.tif 000010
2009524744.tif 000011
2009524744.tif 000012
2009524744.tif 000013
2009524744.tif 000014
2009524744.tif 000015